(57)【特許請求の範囲】
【請求項１】
書込み機器により表面に記入される文字を識別する装置において、
前記表面の１つの個別のゾーンに前記書込み機器（１３）が存在するか否かに従って第１の状態又は第２の状態のいずれかを有する出力信号をそれぞれが発生する複数のセンサ（２１；Ａ−Ｓ）と、
前記文字の記入中に前記出力信号の状態を周期的に検出する手段（２３，２４）と、
状態の検出ごとに前記出力信号の中のどれが前記第２の状態にあるかを確定する手段（２５）と、
前記第２の状態にあることがわかった前記出力信号の各々を先の状態の検出中に同じセンサによって発生されていた出力信号と比較する手段（２５，２６）と、
そのようにして状態の変化が検出されたセンサに対応する識別子を、前記センサの所定の順序に従って記憶し、前記記憶される識別子は前記記入された文字に対応する識別子のシーケンスを形成する手段（２６，２８）と、
前記記入された文字を識別するために、前記記憶された識別子のシーケンスを少なくとも１つの基準識別子シーケンスと比較する手段（２７，２９）とを具備することを特徴とする装置。
【請求項２】
請求項１記載の書込み機器により表面に記入される文字の識別のための構成を具備し、その表面はガラスぶた（３）の外面（５）により構成されていることを特徴とするガラスぶた（３）を具備する腕時計。
【請求項３】
表面の１つの個別のゾーンに書込み機器（１３）が存在するか否かに従って第１の状態又は第２の状態のいずれかを有する出力信号をそれぞれが発生する複数のセンサ（２１；Ａ−Ｓ）を利用する、書込み機器により表面に記入される文字の識別の方法において、
前記文字の記入中に前記出力信号の状態を周期的に検出するステップ（Ｓ１）と、
状態の検出ごとに、出力信号の中のどれが前記第２の状態にあるかを確定するステップ（Ｓ６）と、
前記第２の状態にある前記出力信号の各々を先の状態の検出時に同じセンサにより発生されていた出力信号と比較するステップ（Ｓ７）と、
そのようにして状態の変化が確定されたセンサに対応する識別子を前記センサの所定の順序に従って記憶し、前記記憶される識別子は前記記入された文字に対応する識別子のシーケンスを形成するステップ（Ｓ８）と、
前記記入された文字を識別するために、前記記憶された識別子のシーケンスを少なくとも１つの基準識別子シーケンスと比較するステップ（Ｓ１２）とを含むことを特徴とする方法。
【発明の詳細な説明】
【０００１】
【発明の属する技術分野】
本発明は、書込み機器により表面に記入される文字の識別のための構成に関し、前記構成は、前記表面の１つの個別のゾーンに前記書込み機器があるか否かに従って第１の状態又は第２の状態のいずれかを有する出力信号をそれぞれが発生する複数のセンサと、前記文字の記入中に前記出力信号の状態を周期的に検出する手段と、状態の検出ごとに前記出力信号の中のどれが前記第２の状態にあるかを確定する手段とを具備する。
【０００２】
本発明は、表面の１つの個別のゾーンに書込み機器が存在するか否かに従って第１の状態又は第２の状態のいずれかを有する出力信号をそれぞれが発生する複数のセンサを利用する、書込み機器により表面に記入される文字の識別の方法にも関し、前記方法は、
前記文字の記入中に前記出力信号の状態を周期的に検出する過程と、
状態の検出のたびに、前記出力信号の中のどれが前記第２の状態にあるかを確定する手段とから成る。
【０００３】
【従来の技術】
そのような構成及びそのような識別の方法は、欧州特許第Ａ−０１６５５４８号の中に既に説明されている。この特許は、腕時計のガラスぶたの上に手で書込まれる文字を認識する構成を具備する電子腕時計を説明している。ガラスぶたの内面には、光電センサが配列されている。使用者がガラスぶたの上面に文字を記入すると、光電センサにより検出される光の強さは変化し、それによって、記入された文字の座標を検出できる。
【０００４】
次に、そのようにして検出した座標に従って書込まれた文字を認識する。これを実現するために、書込まれる文字の第１，第２及び第３の字画の各々の座標をメモリの異なる記憶場所に続けて記憶させる。文字を記入するためのあらかじめ定められた時間が経過した後、３つの記憶場所に記憶されている文字座標を表わすデータを基準文字のデータと比較する。記入された文字のデータに最も良く類似しているデータをもつ基準文字をこの文字であると考える。
【０００５】
この識別方式は電子腕時計で使用するために提供されたものではあるが、腕時計にいくつかの負担を強いることが理解されるであろう。第１に、記入された文字のデータと基準文字のデータとを比較するには、きわめて詳細なデータ処理が必要である。その結果、腕時計に給電する電池にさらに大きな負荷が加わることになるので、腕時計の自律性は相当に低減する。第２に、そのような比較を実行するためには、記入された文字と、基準文字とに対応する全てのデータを記憶することができる相当に大型のメモリが必要である。そのようなメモリと、メモリにおける記憶データの管理は必然的にエネルギー消費を一層多くするばかりでなく、そのようなデータを処理している間に、腕時計の時間保持回路の正規の時間保持機能を減衰させてしまう。
【０００６】
【発明が解決しようとする課題】
本発明は、従来の技術の欠点が少なくとも一部を克服する、表面に記入される文字の識別の構成及び方法を提供することを目的としている。
【０００７】
本発明の別の目的は、単純で効率が良く、高い信頼性を示し、ほとんどエネルギーを使用せず且つ従来の技術の構成及び方法と比べて電子腕時計で利用するのにさらに良く適合するような表面に記入される文字の識別の構成及び方法を提供することである。
【０００８】
【課題を解決するための手段】
従って、本発明は、書込み機器により表面に記入される文字の識別のための構成であって、
前記表面の１つの個別のゾーンに前記書込み機器が存在するか否かに従って第１の状態又は第２の状態のいずれかを有する出力信号をそれぞれが発生する複数のセンサと、
前記文字の記入中の前記出力信号の状態を周期的に検出する手段と、
状態の検出ごとに前記出力信号の中のどれが前記第２の状態にあるかを確定する手段とを具備する構成において、
前記第２の状態にあることがわかった前記出力信号の各々を先の状態の検出中に同じセンサにより発生された出力信号と比較する手段と、
そのようにして状態の変化が検出されたセンサに対応する識別子を前記センサの所定の順序に従って記憶し、前記記憶される識別子は前記記入された文字に対応する識別子のシーケンスを形成する手段と、
前記記入された文字を識別するために、前記記憶された識別子のシーケンスを基準識別子の少なくとも１つのシーケンスと比較する手段とをさらに具備することを特徴とする構成を目的としている。
【０００９】
本発明は、表面の１つの個別のゾーンに書込み機器が存在するか否かに従って第１の状態又は第２の状態のいずれかを有する出力信号をそれぞれが発生する複数のセンサを利用する、書込み機器により表面に書込まれる文字の識別の方法であって、
前記文字の記入中に前記出力信号の状態を周期的に検出する過程と、
状態の検出ごとに出力信号の中のどれが前記第２の状態にあるかを確定する過程とから成る方法において、
前記第２の状態にあることがわかった前記出力信号の各々を先の状態の検出のときに同じセンサにより発生される出力信号と比較する過程と、
そのようにして状態の変化が確定されたセンサに対応する識別子を前記センサの所定の順序に従って記憶し、前記記憶される識別子は前記記入された文字に対応する識別子のシーケンスを形成する過程と、
前記記入された文字を識別するために、前記記憶された識別子のシーケンスを基準識別子の少なくとも１つのシーケンスと比較する過程とをさらに含むことを特徴とする。
【００１０】
これらの特徴があるので、記入された文字を識別するために最初に記憶し、その後に処理しなければならない、記入された文字に対応するデータと、基準文字に対応するデータとについて簡略化が実行される。従って、今日の構成や方法に対しての改良を表わす識別構成及び識別方法が得られる。
【００１１】
本発明の他の特徴及び利点は、単に例として提示され且つ添付の図面を参照して作成された以下の説明の中で明白になるであろう。
【００１２】
【発明の実施の形態】
図１は、側２と、ガラスぶた３とを含む腕時計１の横断面を示す。側２の中には電子回路４が配置されている。ガラスぶた３の内面５には好ましくは透明である導電電極が配列されているが、図１にはそれらの電極のうち５つのみをそれぞれＨ，Ｉ，Ｊ，Ｋ及びＬの文字を付して示してある。電極ＨからＬは導体６，７，８，９及び１０により電子回路４にそれぞれ結合している。側２の中には電池１１又は別の電気エネルギー源も配置されており、この電池は導体１２により電子回路４の正極に結合している。
【００１３】
電極ＨからＬの各々は一連の容量性センサの電機子の一方を形成し、そのような容量性センサの各々の他方の電機子は、腕時計１を身に付けている人が特定の１つの電極に面するガラスぶた３の外面に指で触れたときに、その指１３によって形成される書込み機器としての腕時計を身に付けている人の指１３は、その人の手首と接触しており且つ電子回路４の負極と、電池１１の負極とにそれぞれ結合している側２を介して、電子回路４の接地点に結合される。
【００１４】
このために、電極ＨからＬの各々と腕時計１の側２との間に、構成を介して、漂遊容量が存在することに注意する。電極ＨからＬが一部を形成している容量性センサの各々と、そのような容量性センサと関連する漂遊コンデンサは電子回路４の接地点と入力端子との間に並列に結合している。
【００１５】
電子回路４は一連の電圧制御発振器から構成されており、そのような発振器の各々の周波数は、その入力端子と接地点との間に存在する総容量の関数として変動する。腕時計１を身に付けている人の指１３が特定の１つの電極に面するガラスぶた３に置かれていない場合、それに対応する容量性センサの電機子の一方は形成されないことになる。そのような場合、発振器の入力端子と接地点との間に存在する総容量は漂遊コンデンサの容量と等価である。これに対し、その電極に面するガラスぶた１３の上に指１３が置かれたときには、対応する容量性センサの２つの電極子が形成される。このとき、発振器の入力端子と接地点との間に存在する総容量は、容量性センサの容量と漂遊コンデンサの容量との和と等価になる。
【００１６】
すなわち、各々の電圧制御発振器の発振周波数は、その発振器と関連する電極に面しているガラスぶた３の部分の上に指１３があるか否かに従って変動する。
【００１７】
図２は、腕時計１のガラスぶた３に表記されている文字の識別構成２０を示す。識別構成２０は、図１の電極ＨからＬを構成する一連の容量性センサ２１と、電子回路４とを含む。電子回路４は制御回路２２と、一連の電圧制御発振器２３と、一連の周波数検出器２４とから構成されている。
【００１８】
制御回路２２は状態変化検出器２５と、読み取り／書込みメモリユニット（ＲＡＭ）２６及び２７と、識別子シーケンス発生器２８と、識別子シーケンス比較器２９と、クロック回路３０とを含む。周波数検出器と、状態変化検出器２５と、識別子シーケンス発生器２８の機能は、クロック回路３０から来るクロックパルスの周波数によって所定のリズムで制御される。いずれにせよ、何らかのマイクロプロセッサを使用することにより制御回路２２を形成できる。以下の説明からこの回路を得るための、そのようなマイクロプロセッサのプログラミングは当業者には良く知られており、従って、詳細には説明しない。
【００１９】
容量性センサ２１のシーケンスは、図３に示す空間的配列に従ってガラスぶた３の下面５に配列された図中符号ＡからＳで示す電極を含む。腕時計１を身に付けている人が、たとえば、電極Ｃに面するガラスぶた３の上に指を置くと、それに対応する容量性センサが形成され、その結果、この容量性センサと関連する電圧制御発振器の入力端子に存在する総容量は変化する。これにより、その電圧制御発振器の出力信号の周波数も同様に変化し、そのような周波数の変化は、この電圧制御発振器と関連する周波数検出器によって検出される。
【００２０】
さらに、各周波数検出器は、それと関連する電圧制御発振器の出力信号の周波数を所定の基準値と比較する。この基準値は、その値より低い周波数の検出は特定の１つの電極に面するガラスぶた３上に指が置かれていない状態に相当するが、この値より大きい周波数の検出はその電極に面するガラスぶた３の上に指が置かれている状態に相当するように規定される。すなわち、各周波数検出器からの出力信号は、対応する電極に面する腕時計１のガラスぶた３の上に指が置かれているか否かに従って、ハイ状態又はロー状態を示す。
【００２１】
その結果として、一連の周波数検出器２４からの出力信号は、２進要素がその出力信号の状態を表わしている２進語を形成する。各周波数検出器はそれが結合している電圧制御発振器の出力信号を、クロック回路２４により決定されるリズムでサンプリングする。すなわち、電極ＡからＳの中の１つに面するガラスぶた３の上に腕時計１を身に付けている人の指があるか否かを各々の２進要素が表わしている新たな２進語が同様にこのリズムで生成されて行くのである。
【００２２】
状態変化検出器２５は、一連の周波数検出器２４から来る２進語を受信するように、一連の周波数検出器２４に結合している。状態変化検出器２５は受信した各々の２進語をＲＡＭメモリ２６に一時的に記憶する。この例では、入力端子で状態変化検出器２５を受信すると、状態変化検出器２５は、当初、その語を形成している２進要素の中のどれがハイ状態にあるかを確定し、それにより、対応する電極に面する腕時計１のガラスぶた３の上に指が置かれていることを指示する。
【００２３】
次に、検出器２５はハイ状態にあるとわかったそれらの２進要素の各々をＲＡＭメモリ２６に記憶されている先行語の対応する２進要素と比較する。それらの２進要素に相違がある場合、すなわち、１つの２進要素はハイ状態にあるが、先行語の対応する２進要素はロー状態にある場合には、検出器２５は、その２進要素に対応する容量性センサを識別する信号を識別子シーケンス発生器２８に供給する。この信号は、たとえば、その容量性センサに対応する電極ＡからＳの中の１つを識別するアドレスであっても良い。
【００２４】
そこで、識別子シーケンス発生器２８は、ガラスぶた３に書込まれる文字の記入中に、クロック回路３０から来るパルスの周波数によって確定されるリズムで、クロック回路３０のパルスごとに指１３により「起動」される容量性センサがどれであるかを指示する一群の信号を周期的に受信する。各信号群を形成する標識は識別子シーケンス発生器２８により、センサＡからＳまでの所定の順序に対応する順序に従ってＲＡＭ２６に順次記憶される。
【００２５】
クロック回路３０からの連続するパルスの間に発生される複数群の標識も、識別子シーケンス発生器によりＲＡＭメモリ２６に順次記憶される。従って、特定の１つの書込み文字を識別する識別子のシーケンスは、ガラスぶた３へのその文字の記入中に生成される。
【００２６】
次に、比較器２９はこの識別子のシーケンスをＲＡＭメモリ２７に記憶されている基準識別子シーケンスのシーケンスと比較する。それらの基準識別子シーケンスの各々は、使用者によってガラスぶた３に書込まれようとしている１つの文字に相当し、これは後に腕時計１の一部を形成しているユーティライゼーション構成によって処理されることになる。このユーティライゼーション構成は、たとえば、計算器であっても良く、あるいは、数字及び／又は文字を認識する別の構成であっても良いであろう。使用者が文字を書込むことによって生成される識別子のシーケンスが基準識別子シーケンスの１つと所定の数に満たない数だけ異なっている場合、比較器２９はその基準識別子シーケンスに対応する文字を表わす信号をユーティライゼーション構成に供給する。
【００２７】
次に、図４から図７を参照して、識別構成２０の動作を説明することにする。図４は、１例として、数字４を記入したときの指１３の軌道経路を矢印４０，４１によって象徴的に表わした図３のセンサＡからＳの配列を示す。この軌道をたどるとき、指１３は初めはセンサの電極Ｂ及びＣに面する位置にあることがわかる。
【００２８】
このような条件においては、電極Ｂ及びＣと関連する電圧制御発振器の入力端子に存在する総容量が変化する。それら２つの電圧制御発振器の周波数の変化は、それらの発振器と関連する周波数検出器によって検出される。すなわち、それらの周波数検出器の各々の出力信号はハイ状態にあるが、電極Ａ及びＤからＳまでのその他の周波数検出器から来る出力信号は全てロー状態にある。
図５は、図４の軌道４０及び４１に沿った数字「４」の書込み中の、電極ＡからＳと関連する周波数検出器から来る信号のサンプリング時点ｔ1からｔ24 における状態を示す表である。図５では、ハイ状態を「１」により示し、ロー状態を「０」により示すことがわかる。その結果として、時点ｔ1 で状態検出器に供給される２進語は値０１１００００００００００００００００を有することになる。
【００２９】
図６は、記入中及び図４に示す文字の識別構成２０による識別の間の動作の様々な段階を次に説明するに際して有用であるフローチャートである。段階Ｓ１は、先に説明した容量性センサの状態の検出の段階に相当する。
【００３０】
ＲＡＭメモリ２６は、特定のサンプリング時点で一連の周波数検出器２６により供給される２進語を記憶するアドレスを含む。ＲＡＭメモリ２６は、先のサンプリング時点で一連の周波数検出器２４により供給された２進語を記憶する別のアドレスを含む。それら２つの２進語を、それぞれ、「現在」２進語及び「先行」２進語と呼ぶ。段階Ｓ２では、先行２進語を記憶していたアドレスの内容を現在２進語を記憶するアドレスの内容と置き換える。使用者が望む数字の記入が始まる前には、それらの２進語は共に値０００００００００００００００００００を有する。次に、段階Ｓ３では、時点ｔ1 で周波数検出器のシーケンス２４から来た２進語をメモリ２６の、現在２進語のアドレスに書込む。
【００３１】
状態変化検出器２５は、段階Ｓ４で初期値ｉ＝１にセットされるカウンタを含む。次の段階Ｓ５では、そのカウンタの内容を１単位増加させる。２から２０の間にある「ｉ」の値は、それぞれ、図４に示す電極ＡからＳと関連する２進単位に相当する。
【００３２】
段階Ｓ６では、状態変化検出器２５は、現在２進語の一部を形成する「ｉ番目」の２進単位の状態を検査する。たとえば、「ｉ」の値が３であるとき、それは電極Ｂに対応する２進単位に関する。その２進単位の状態がローであれば、段階Ｓ９へ進み、「ｉ」の値が２０未満である場合には、ステップＳ５でその値を１単位増加させ、現在２進語の中の次の２進単位の状態を検査する。
【００３３】
これに対し、「ｉ番目」の２進単位の状態がハイであるならば、段階Ｓ７で、状態変化検出器は現在２進語の中のその２進単位の状態を、ＲＡＭ２６に記憶されている先行２進語の「ｉ番目」の２進単位の状態と比較する。それらの２進単位の状態に相違がある場合には、それらの２進単位と関連する電極に対応する信号を識別子シーケンス発生器２８に供給する。識別子シーケンス発生器２８はそのような電極を識別する信号をＲＡＭメモリ２６に記憶する。次に、「ｉ」の値が２０未満である場合には、段階Ｓ５で「ｉ」の値を１単位増加させ、現在２進語の中の次の２進単位の状態を解析する。
【００３４】
「ｉ」の値が２０に達するまで、段階Ｓ５からＳ９を繰り返す。その結果、現在２進語の中の全ての２進単位の状態を解析したことになる。
【００３５】
次に、使用者によるガラスぶた３への文字の記入が終了するまで、クロック回路３０から来るパルスごとに、以上説明した方法を繰り返す。段階Ｓ１０では、たとえば、現在２進語の全ての２進単位の状態が所定の数のサンプリング周期の間にロー状態にとどまることを検出して、この記入が終了したか否かを検出する。記入が終了していなければ、段階Ｓ１１で、段階Ｓ１からＳ１０を再開する前に検出すべき次のクロックパルスを待つ。
【００３６】
腕時計１のガラスぶた３に記入された文字に対応する一連の識別子を生成するために、この方法の間に識別子シーケンス発生器２８により発生される識別信号をＲＡＭメモリ２６に順次記憶する。従って、段階Ｓ１０で、使用者による文字の記入が終了したことを検出したならば、識別子シーケンス発生器２８はそれが発生したばかりの識別子のシーケンスを比較器２９に供給する。
【００３７】
段階Ｓ１２では、使用者により記入された文字を識別するために、比較器２９は識別子シーケンス発生器２８により供給された識別子のシーケンスをＲＡＭメモリ２７に記憶されている基準識別子のシーケンスと比較する。この比較においては、識別子シーケンス発生器２８により供給される識別子のシーケンスの識別子を各基準識別子シーケンスの識別子と比較する。その比較で、識別子シーケンス発生器２８により供給される識別子のシーケンスと、ＲＡＭメモリ２７に記憶されている複数の基準識別子シーケンスの中の１シーケンスとの一致が確定されると、比較器２９は識別された文字を表わす信号を腕時計１のユーティライゼーション構成に供給する。記入された文字を識別するためには、厳密な一致は要求されないことを認めなければならない。最大値を越えないのであれば、当該技術において「距離」と表わされるある誤差は許容される。
【００３８】
図７ａは、図４における文字の記入の場合に、現在２進語の中の対応する２進単位が時点ｔ1 からｔ24に際して電極ＡからＳのうちどれがハイ状態にあるかを示す表である。この図では、時点ｔ1 のとき、電極Ｂ及びＣに対応する２進単位はハイ状態にあり、時点ｔ2 では電極Ｂ，Ｃ及びＦに対応する２進単位がハイ状態にあり、時点ｔ3 では電極Ｂ及びＦに対応する２進単位がハイ状態にある等々ということがわかる。
【００３９】
先に説明した通り、状態変化検出器２５は、段階Ｓ７で、現在２進語の中でハイ状態にあることがわかった２進単位の状態をＲＡＭ２６に記憶されている先行２進語の２進単位の状態と比較する。
【００４０】
たとえば、時点ｔ1 のときには、現在２進語の中の電極Ｂ及びＣと関連する２進単位はハイ状態にあるが、先行２進語における対応する２進単位はロー状態にある。そこで、電極Ｂに対応する信号を識別子シーケンス発生器２８に供給し、その後、電極Ｃに対応する信号を供給する。
【００４１】
時点ｔ2 では、現在２進語の中の電極Ｂ，Ｃ及びＦと関連する２進単位がハイ状態にある。同時に、先行２進語の中の電極Ｂ及びＣに対応する２進単位はハイ状態にあり、先行２進語の中の電極Ｆに対応する２進単位のみがロー状態にある。そのような場合、電極Ｆに対応する信号を時点ｔ2 の後に識別子シーケンス発生器２８に供給する。
【００４２】
図７ｂは、一方で、対応する２進単位が現在２進語においてハイ状態にあるが、他方では、先行２進語の中の対応する２進語もハイ状態にあるような電極を記号「＄」によって表わしている表を示し、図７の表の電極ＡからＳの記号のうち、先行２進語でもハイ状態にあるものを記号「＄」と置き換えてある。このような条件の下では、それらの２進単位について識別信号は識別子シーケンス発生器に供給されない。たとえば、図７ａでは、時点ｔ4 の後、電極Ｅに対応する信号のみが識別子シーケンス発生器２８に供給され、次に、電極Ｊに対応する信号が識別子シーケンス発生器２８に供給されることがわかる。
【００４３】
従って、図４に示す数字「４」の記入中に識別子シーケンス発生器２８により受信される一連の識別信号は次の電極を続けて識別して行くことになる。
【００４４】
記号４
ＢＣＦＥＪＩＮＭＱＲＯＰＳＫＯＲＳ
このような識別子は、記入された文字に対応する一連の識別子を生成するために、ＲＡＭメモリ２６に順次記憶される。次に、比較器２９は、書込まれた文字を識別するために、それらの識別子のシーケンスを既にＲＡＭメモリ２７に記憶されていた基準識別子のシーケンスと比較する。
【００４５】
それらの基準識別子シーケンスは、学習モードの過程の中でＲＡＭメモリ２７に記憶されるのが好ましい。このモードにおいては、たとえば、使用者は腕時計１のガラスぶた３の上に基準文字を書込むことができる。使用者が生成した識別子シーケンスを基準識別子シーケンスとしてＲＡＭメモリ２７に記憶できる。各々の基準文字のいくつかの例を使用者が記入し、そのようにして生成された複数の識別子シーケンスの平均をとった後に、結果をＲＡＭメモリ２７に記憶させるのが好ましい。
【００４６】
最後に、本発明の枠組から離れずに、本発明による識別構成及び識別方法にいくつかの変形を適用できることを認めるべきである。たとえば、先に説明した実施例では容量性センサが設けられていたが、書込み面の個別のゾーンに書込み機器が存在するか否かを検出することが可能である他のどのようなセンサでも採用できる。
【図面の簡単な説明】
【図１】  本発明による識別構成を含む腕時計の横断面図。
【図２】  図１の識別構成の概略図。
【図３】  図２の識別構成の容量性センサの空間的配列の概略図。
【図４】  図１の腕時計のガラスぶたに文字を記入するときにたどる軌道の１例を示す図。
【図５】  図２の識別構成の一連の周波数検出器から来る２進語を形成する２進要素を示す表。
【図６】  本発明による識別方法のフローチャート。
【図７】  図４の文字の記入中のサンプリング時点で起動される、図２の識別構成の一部を形成する容量性センサを示す表（ａ）と、図６の方法の間のサンプリング時点で生成される識別子を示す表（ｂ）。
【符号の説明】
１…腕時計、３…ガラスぶた、１３…指、２０…識別構成、２１…容量性センサ、２２…制御回路、２３…電圧制御発振器、２４…周波数検出器、２５…状態変化検出器、２６，２７…ＲＡＭメモリ、２８…識別子シーケンス発生器、２９…識別子シーケンス比較器、３０…クロック回路。
【図１】
0004188429.tif 000002
【図３】
0004188429.tif 000003
【図２】
0004188429.tif 000004
【図４】
0004188429.tif 000005
【図５】
0004188429.tif 000006
【図６】
0004188429.tif 000007
【図７】
0004188429.tif 000008